(57)【特許請求の範囲】
【請求項１】
扱胴（１）を軸装する脱穀室（２）終端部の脱穀物掻出口（３）と、脱穀済の排稈を送出しながら吸引排塵機（４）の吸引排塵を受けさせる排稈室（５）との間に亘って、排塵処理胴（６）を軸装し内周に処理物を軸方向へ移送案内するガイドフィン（７，８）を配置する排塵処理室（９）を設け、この排塵処理室（９）の脱穀物掻出口（３）に対向する部分のガイドフィン（７）の案内角度（Ａ）を、後部のガイドフィン（８）の案内角度（Ｂ）よりも大きく設定し、前記脱穀室（２）の一側に設ける穀稈移送口（１４）に沿って挟扼杆（２４）をフィードチェン（１３）側へ弾発して上下動自在に設けるにあたり、該挟扼杆（２４）を一定長さ毎に分割形成してこれらの挟扼杆（２４）をピン（３１）によって連結し該各ピン（３１）を上下方向の摺動ロッド（３２）で支持して前記脱穀室（２）上側の脱穀カバー（１２）に設けた挟扼台（３３）に上下摺動自在に案内させると共にばね（３０）によって下方へ弾発させて設け、前記各挟扼杆（２４）の脱穀室（２）側の側面に該各挟扼杆（２４）よりも上下方向及び前後方向に大きく形成した弾性材からなるシール板（３４）を各々取付けて、前後に隣接するシール板（３４）どうしを各挟扼杆（２４）の継目部分で重合させて該挟扼杆（２４）が上下動しても隙間を生じないように構成すると共に、該シール板（３４）の下縁を前記穀稈移送口（１４）下面の移送口板（３６）の上面に接近させて設けて、シール板（３４）の下縁が移送穀稈の層厚に応じて押し上げられる一方、移送穀稈が途切れたときは該シール板（３４）の下縁が移送口板（３６）の上面に接近して穀稈移送口（１４）からの塵埃の噴出を防止するように構成し、前記脱穀カバー（１２）側に設けた抵抗板（３７）の外側に調節板（３８）を上下調節可能に設けて該調節板（３８）の上下調節によって前記穀稈移送口（１４）の上下高さを調節できるように構成して、前記シール板（３４）を調節板（３８）の外側面に沿って挟扼杆（２４）と共に上下動させることができるように構成したことを特徴とする脱穀装置。
【発明の詳細な説明】
【０００１】
【発明の属する技術分野】
この発明は、コンバインの脱穀装置に利用されるもので、脱穀装置に関するものである。
【０００２】
【発明が解決しようとする課題】
自脱形態のコンバインでは、脱穀室終端までに搬送された脱穀済の排稈は、排稈口から後側の排稈室へ送出されるが、扱胴の回転によって脱穀処理される脱穀物は、掻出口から排塵処理室へ掻き出されて、ここで排塵処理胴の回転により脱穀処理を受け形態が多い。しかしながら、このような構成では、掻出口から排塵処理室へ掻き出された脱穀物の、この掻出口部での停滞が著しく、脱穀物の移送や脱穀処理等の能率を低下し、掻出口部での詰りも生じ易い。
【０００３】
【課題を解決するための手段】
この発明は、扱胴（１）を軸装する脱穀室（２）終端部の脱穀物掻出口（３）と、脱穀済の排稈を送出しながら吸引排塵機（４）の吸引排塵を受けさせる排稈室（５）との間に亘って、排塵処理胴（６）を軸装し内周に処理物を軸方向へ移送案内するガイドフィン（７，８）を配置する排塵処理室（９）を設け、この排塵処理室（９）の脱穀物掻出口（３）に対向する部分のガイドフィン（７）の案内角度（Ａ）を、後部のガイドフィン（８）の案内角度（Ｂ）よりも大きく設定し、前記脱穀室（２）の一側に設ける穀稈移送口（１４）に沿って挟扼杆（２４）をフィードチェン（１３）側へ弾発して上下動自在に設けるにあたり、該挟扼杆（２４）を一定長さ毎に分割形成してこれらの挟扼杆（２４）をピン（３１）によって連結し該各ピン（３１）を上下方向の摺動ロッド（３２）で支持して前記脱穀室（２）上側の脱穀カバー（１２）に設けた挟扼台（３３）に上下摺動自在に案内させると共にばね（３０）によって下方へ弾発させて設け、前記各挟扼杆（２４）の脱穀室（２）側の側面に該各挟扼杆（２４）よりも上下方向及び前後方向に大きく形成した弾性材からなるシール板（３４）を各々取付けて、前後に隣接するシール板（３４）どうしを各挟扼杆（２４）の継目部分で重合させて該挟扼杆（２４）が上下動しても隙間を生じないように構成すると共に、該シール板（３４）の下縁を前記穀稈移送口（１４）下面の移送口板（３６）の上面に接近させて設けて、シール板（３４）の下縁が移送穀稈の層厚に応じて押し上げられる一方、移送穀稈が途切れたときは該シール板（３４）の下縁が移送口板（３６）の上面に接近して穀稈移送口（１４）からの塵埃の噴出を防止するように構成し、前記脱穀カバー（１２）側に設けた抵抗板（３７）の外側に調節板（３８）を上下調節可能に設けて該調節板（３８）の上下調節によって前記穀稈移送口（１４）の上下高さを調節できるように構成して、前記シール板（３４）を調節板（３８）の外側面に沿って挟扼杆（２４）と共に上下動させることができるように構成したことを特徴とする脱穀装置の構成とする。
【０００４】
【発明の効果】
扱胴１の回転によって脱穀される排稈は排稈室５へ排出されるが、わら屑等の脱穀物は掻出口３から排塵処理室９へ掻き出されて、この排塵処理胴６の回転により脱穀処理されながら排稈室５へ排出され、吸引排塵機４の吸引排塵作用を受ける。このとき排塵処理室９内では、掻出口３から掻き出されてくる脱穀物は、軸方向への移送案内角度Ａの大きいガイドフィン７による案内を受けるため、送出速度が早く、従って掻出口３部における停滞を少くして、脱穀室２から排塵処理室９への脱穀物掻出処理を速かに行わせることができ、このガイドフィン７から送られる脱穀物は、続いて案内角度の小さいガイドフィン８による脱穀処理抵抗を受けさせるものであるから、排塵処理室９内での脱穀処理を十分に行わせて、能率及び効率のよい脱穀処理を行うことができる。
また、この脱穀処理において、搬送穀稈が途切れたときには、シール板３４の下縁が移送口板３６面に接近して隙間が少なくなり、穀稈移送口１４からの塵埃の噴出を防止することができる。
【０００５】
【発明の実施の形態】
脱穀装置は、脱穀フレームに扱胴軸１０で軸装される扱胴１が脱穀室２内に軸装される。この脱穀室２は、下半周面に張設の脱穀網１１と上周面に開閉自在の脱穀カバー１２と一側に沿ってフィードチェン１３によって移送される穀稈を案内する穀稈移送口１４等から構成され、この脱穀室２の軸方向後側には、脱穀済排稈を排送する排稈室５、及びこの排稈室５の吸引排塵作用を行う吸引排塵機４を配置し、これら脱穀室２の後端の掻出口３と排稈室５の後部との間に亘って、排塵処理胴６を処理胴軸１５で軸装する排塵処理室９を有し、これら脱穀室２、排稈室５、及び排塵処理室９の下方には、搖動選別棚１６や、圧風唐箕１７、一番受樋１８や二番受樋１９等を配置する選別風路２０等からなる選別装置２１を設けている。
【０００６】
前記脱穀室２の軸方向前端部には穀稈供給口２２が設けられ、後端部には排稈室５に開口する排稈口２３が設けられ、移送口１４の下側に沿うフィードチェン１３と上側に沿う挾扼杆２４との間に挾持される穀稈を脱穀搬送する。この脱穀室２の後端部で奥側には掻口３が設けられ、この掻出口３の前側縁に沿って脱穀網１１面を適宜高さの中仕切板２５が設けられる。
【０００７】
前記排塵処理室９は、選別装置２１上面には処理網２６を設け、脱穀機壁外の外側壁２８を構成する部分に、ガイドフィン７，８を配置している。前記掻出口３に対向する部分のガイドフィン７は、脱穀処理物の軸方向への送り作用を大きくするように案内角度Ａを大きく設定する。これ以外の軸方向下手側のガイドフィン８は、案内角度Ｂを該ガイドフィン７の案内角度Ａに対して小さく形成している。この処理網２６から漏下される処理物は下方の搖動選別棚１６上面に落下されるが、この排塵処理室９の後端まで脱穀処理されながら搬送されるわら屑等は、排稈室５を下方の搖動選別棚１６上に落下され、排塵物は吸引排塵機４へ吸引排出される。
【０００８】
脱穀室２の後端部では中仕切板２５から排稈口２３に亘る間の脱穀物が、扱胴１の回転によって掻出口３から奥側の排塵処理室９側へ掻き出される。この排塵処理室９内で回転する排塵処理胴６によって、掻出口３から掻き出される脱穀物をガイドフィン７，８に案内させて排出口２７側へ移送しながら脱粒処理する。このうち穀粒等は処理網２６から漏下させるが、残った大きなわら屑は排出口２７から排稈室５へ排出させる。
【０００９】
このような排塵処理室９における脱穀物は、掻出口３と対向する部分では案内角度Ａの大きいガイドフィン７によって排出口２７側への送り速度が速かに行われるために、掻出口３における脱穀物の停滞が少く、脱穀室２側からの脱穀物の掻出を円滑に行わせることができる。又、この排塵処理室９内をガイドフィン８で案内される脱穀物は、案内角度Ｂが小さいため、処理移送速度が緩やかになり、この抵抗によって脱粒処理作用を十分に受ける。又、このようにガイドフィン８の案内角度Ｂを小さくして、脱穀物の処理抵抗を大きくしても、脱粒処理に伴って排出口２７に移送されるに伴ってわら屑量は減少するため、処理抵抗が過度に増すこととはならない。
【００１０】
図４、図５において、上例と異なる点は、前記脱穀カバー１２が脱穀室２の奥側部をカバー軸２９として上下開閉可能に設けられるが、この脱穀カバー１２の穀稈移送口１４に沿って、前記挾扼杆２４が上下動自在で、かつばね３０によってフィードチェン１３側へ弾発されている。挾扼杆２４は一定長さ毎にピン３１で連結され、この各ピン３１を上下方向の摺動ロッド３２で支持して、脱穀カバー１２に一体の挾扼台３３に上下摺動自在に案内させ、ばね３０で下方へ弾発させる。このような挾扼杆２４のうち穀稈移送口１４に位置する各挾扼杆２４の脱穀室２側の側面にゴム板等の如き弾性材からなるシール板３４をビス３５止め等で各々取付けて、穀稈移送口１４下面の移送口板３６の上面に接近させている。
【００１１】
このシール板３４は、前記各挾扼杆２４よりも上下前後に広くして形成し、下縁を移送穀稈の層厚に応じて押上げられるようにし、穀稈の移送が切れたときは移送口板３６面に接近して、穀稈移送口１４を常時閉鎖して、隙間を少くするように働き、この穀稈移送口１４からの塵埃の噴出を防止する。又、各前後のシール板３４は各挾扼杆２４の継目部分で一定幅に亘って重合し、挾扼杆２４の上下屈折搖動時にも隙間を生じない構成としている。
【００１２】
３７は挾扼杆２４の脱穀室２側に対向して設けられる抵抗板で、脱穀カバー１２と一体に設けられ、この抵抗板３７の外側に上下調節可能の調節板３８が設けられて、穀稈移送口１４の上下高さを調節しうる構成とし、前記シール板３４はこの調節板３８の外側面に沿って挾扼杆２４と共に上下動する。
【図面の簡単な説明】
【図１】  脱穀装置フレーム部の側面図と、その一部の拡大側面図。
【図２】  脱穀装置の側面図。
【図３】  その正面図。
【図４】  フィードチェン部の正面図。
【図５】  その側面図。
【符号の説明】
１  扱胴
２  脱穀室
３  掻出口
４  吸引排塵機
５  排稈室
６  排稈処理胴
７  ガイドフィン
８  ガイドフィン
９  排塵処理室
１２ 脱穀カバー
１３ フィードチェン
１４ 穀稈移送口
２４ 挟扼杆
３０ ばね
３１ ピン
３２ 摺動ロッド
３３ 挟扼台
３４ シール板
３６ 移送口板
３７ 抵抗板
３８ 調節板
Ａ  案内角度
Ｂ  案内角度
【図１】
0003711654.tif 000002
【図２】
0003711654.tif 000003
【図３】
0003711654.tif 000004
【図４】
0003711654.tif 000005
【図５】
0003711654.tif 000006